(57)【要約】  Ｘ線診断装置は、画像に映りこんだ前記グリッドのモアレパターンの第１高調波のピーク周波数を検出するピーク周波数検出部と、第１高調波のピーク周波数に基づいて画像からモアレパターンの第１高調波と第２高調波を除去して第１・第２高調波除去画像を取得する第１・第２高調波除去処理部と、第１高調波のピーク周波数に基づいてモアレパターンの第３高調波のピーク周波数を算出し、第３高調波を抽出するための第３高調波抽出フィルタを作成する第３高調波抽出フィルタ作成部と、第３高調波抽出フィルタに基づいて第１・第２高調波除去画像から第３高調波を抽出する第３高調波抽出部と、抽出された第３高調波を第１・第２高調波除去画像から減算して第３高調波除去画像を取得する第３高調波減算部とを備えている。
2012143979.tif 000002
【特許請求の範囲】
【請求項１】
被検体にＸ線を照射するＸ線照射部と、
被検体を透過したＸ線を検出するＸ線検出器と、
前記Ｘ線検出器のＸ線入射側に配置され、散乱したＸ線を除去するグリッドとを備え、
前記Ｘ線検出器の出力に基づいて画像を取得するＸ線診断装置において、
前記画像に映りこんだ前記グリッドのモアレパターンの第１高調波のピーク周波数を検出するピーク周波数検出部と、
前記第１高調波のピーク周波数に基づいて前記画像からモアレパターンの第１高調波と第２高調波を除去して第１・第２高調波除去画像を取得する第１・第２高調波除去処理部と、
前記第１高調波のピーク周波数に基づいてモアレパターンの第３高調波のピーク周波数を算出し、前記第３高調波を抽出するための第３高調波抽出フィルタを作成する第３高調波抽出フィルタ作成部と、
前記第３高調波抽出フィルタに基づいて前記第１・第２高調波除去画像から前記第３高調波を抽出する第３高調波抽出部と、
抽出された前記第３高調波を前記第１・第２高調波除去画像から減算して第３高調波除去画像を取得する第３高調波減算部と、
を備えていることを特徴とするＸ線診断装置。
【請求項２】
請求項１に記載のＸ線診断装置において、
前記第１・第２高調波除去画像内の平坦度を算出して平坦度情報を取得する平坦度算出部と、
前記平坦度情報の平坦領域では第３高調波除去画像を出力し、前記平坦度情報の平坦領域以外の領域では前記第１・第２高調波除去画像を出力する出力選択部とを備えていることを特徴とするＸ線診断装置。
【請求項３】
請求項２に記載のＸ線診断装置において、
前記平坦度算出部は、処理対象である注目画素とその周囲の画素との輝度変化量を算出して平坦度情報を取得する輝度変化量算出部を備えていることを特徴とするＸ線診断装置。
【請求項４】
請求項３に記載のＸ線診断装置において、
前記輝度変化量算出部は、前記注目画素の画素値から前記注目画素とその周囲の画素との加算平均値を減算して平坦度情報を取得することを特徴とするＸ線診断装置。
【請求項５】
請求項３または４に記載のＸ線診断装置において、
前記平坦度算出部は、前記平坦度情報の各画素の輝度変化量をそれぞれ対応する前記第１・第２高調波除去画像の画素値で除算して正規化処理する正規化処理部を備えていることを特徴とするＸ線診断装置。
【請求項６】
請求項３から５のいずれかに記載のＸ線診断装置において、
前記平坦度算出部は、前記平坦度情報を複数個の画素で分割した領域ごとに輝度変化量の加算平均を行い、その加算平均値を分割した領域の各画素に適用させて平滑化する平滑化処理部を備えていることを特徴とするＸ線診断装置。
【請求項７】
請求項１から６のいずれかに記載のＸ線診断装置において、
前記第３高調波抽出部で抽出された前記第３高調波の縞目に沿った方向に１次元のローパスフィルタ処理を行うローパスフィルタ処理部を備えていることを特徴とするＸ線診断装置。
【請求項８】
散乱したＸ線を除去するグリッドを介して撮影された画像の処理工程をコンピュータに実行させるためのＸ線診断用プログラムであって、
前記画像に映りこんだ前記グリッドのモアレパターンの第１高調波のピーク周波数を検出する工程と、
前記第１高調波のピーク周波数に基づいて前記画像からモアレパターンの第１高調波と第２高調波を除去して第１・第２高調波除去画像を取得する工程と、
前記第１高調波のピーク周波数に基づいてモアレパターンの第３高調波のピーク周波数を算出し、前記第３高調波を抽出するための第３高調波抽出フィルタを作成する工程と、
前記第３高調波抽出フィルタに基づいて前記第１・第２高調波除去画像から前記第３高調波を抽出する工程と、
抽出された前記第３高調波を前記第１・第２高調波除去画像から減算して第３高調波除去画像を取得する工程と、を備え、
これらの工程をコンピュータに実行させることを特徴とするＸ線診断用プログラム。
【発明の詳細な説明】
【技術分野】
【０００１】
本発明は、Ｘ線画像に映りこんだグリッドのモアレパターンを除去するＸ線診断装置およびＸ線診断用プログラムに関する。
【背景技術】
【０００２】
従来のＸ線診断装置は、図１１に示すように、Ｘ線を被検体Ｍに照射するＸ線管１０３と、被検体Ｍを透過したＸ線を検出するＸ線検出器（例えば、フラットパネル型Ｘ線検出器（ＦＰＤ））１０４と、Ｘ線検出器１０４のＸ線入射側に設けられ、被検体Ｍを透過するとき等に散乱するＸ線を除去する散乱線除去グリッド（以下、「グリッド」と略す）１０５とを備えている。グリッド１０５は、Ｘ線を吸収する吸収体（例えば鉛）と、Ｘ線を透過する透過体（例えばアルミニウムや空気）とが交互に配設して構成される。このグリッド１０５によって、散乱して斜め方向から入射するＸ線は吸収体で吸収され、透過体を透過したＸ線のみがＸ線検出器１０４で検出される。それにより、鮮明な画像を取得することができる。【０００３】
しかしながら、従来のＸ線診断装置１０１では、Ｘ線検出器１０４の解像度とグリッド１０５の密度との違いにより、取得した画像にグリッド１０５のモアレパターンが映りこんでしまう問題がある。このグリッド１０５のモアレパターンの対策については、種々の提案がなされている（例えば、特許文献１参照）。【０００４】
また、図１１に示す従来のＸ線診断装置１０１では、モアレパターン除去処理部１２１を備えて、画像に映りこんだグリッド１０５のモアレパターンの第１高調波と第２高調波を除去している。まず、モアレパターンが映りこんだ画像に対して１次元のフーリエ変換を行い、そのフーリエ変換結果からモアレパターンの第１高調波を示すピーク周波数を検出する。第２高調波は、第１高調波の２倍（整数倍）であるので、第１高調波のピーク周波数により算出される。取得された第１高調波と第２高調波のピーク周波数に基づき、モアレパターンの第１高調波と第２高調波を抽出するためのフィルタを作成し、このフィルタを用いて第１高調波と第２高調波を抽出する。そして、モアレパターンが映りこんだ画像から第１高調波と第２高調波を減算することでモアレパターンの第１高調波と第２高調波を除去する。【０００５】
なお、Ｘ線検出器１０４の解像度は、ナイキスト周波数Ｎｙで表すことができる。ナイキスト周波数Ｎｙは、ピクセルピッチδ（mm）でサンプリングできる空間周波数の限界を示す。ナイキスト周波数Ｎｙは、次の式（１）から求められる。
Ｎｙ＝１／（２×δ）…（１）【０００６】
例えば、Ｘ線検出器１０４は、ピクセルピッチδが１５０umで構成されているとすると、ナイキスト周波数Ｎｙは、Ｎｙ＝１／（２×０．１５）＝３．３３…lp/mmとなる。すなわちＸ線検出器１０４の解像度は、３．３３…lp/mmである。なお、Ｘ線検出器１０４の解像度は、以下適宜「３．３３lp/mm」と略する。【０００７】
また、グリッド１０５の密度は、例えば５０line/cmで構成される。この５０line/cmは、５line/mmや５lp/mmなどとも表される。「line/cm」や「lp/mm」等は、グリッド１０５の場合、単位長さ（１cmや1mm）当たり吸収体の本数や吸収体と透過体の組の本数（５０や５）を示している。解像度が３．３３lp/mmのＸ線検出器と、密度が５lp/mm（５０line/cm）のグリッドとを用いる場合、グリッド（５lp/mm）のモアレパターンは、３．３３lp/mmで折り返して、１．６７lp/mmの位置に生じる。すなわち、３．３３…lp/mm−（５lp/mm−３．３３…lp/mm）＝１．６７（１．６６６…）lp/mmの位置にグリッドのモアレパターンの第１高調波が現れる（図１２）。
【特許文献１】特開２００２−１５２４６７号公報
【発明の開示】
【発明が解決しようとする課題】
【０００８】
しかしながら、このような構成を有する従来のＸ線診断装置１０１では、次のような問題がある。すなわち、モアレパターン除去処理部１２１により、グリッド１０５のモアレパターンが映りこんだ画像からモアレパターンを除去しても、除去後の画像にモアレパターン残りが存在してしまうという問題がある。【０００９】
本発明は、このような事情に鑑みてなされたものであって、モアレパターン除去画像に残るモアレパターンを除去するＸ線診断装置およびＸ線診断用プログラムを提供することを目的とする。
【課題を解決するための手段】
【００１０】
発明者は、上記の問題を解決するために鋭意研究した結果、次のような知見を得た。まず、モアレパターン除去画像に残るモアレパターンは、第３高調波であることがわかった。図１３は、画像の１次元のフーリエ変換結果の一例を示す。なお、具体的には、１５０umのピクセルピッチのＸ線検出器（ＦＰＤ）１０４に対して、５０line/cmのグリッド１０５を用いている。図１３において、グリッド１０５のモアレパターンの第１高調波のピーク周波数は約１．８４lp/mmに位置し、第２高調波のピーク周波数は約２．９８lp/mmに位置する。そして、約１．１４lp/mmに位置するピーク周波数を有する周波数成分が存在する。この周波数成分が第３高調波である。すなわち、第３高調波は、第１高調波の３倍（整数倍）であり、５．５２lp/mmの周波数を有する。５．５２lp/mmの周波数は、３．３３lp/mmで折り返されて１．１４lp/mmの位置に現れる。なお、第２高調波は、第１高調波の２倍の３．６８lp/mmの周波数を有し、折り返されて２．９８lp/mmの位置に現れる。【００１１】
また、グリッド１０５の密度の誤差により、モアレパターン除去後の画像にモアレパターンの第３高調波が発生することがわかった。例えば、グリッド密度が５０line/cmの場合であっても４５〜５５line/cmのものが存在する。なぜなら、グリッド１０５には、日本工業規格(JIS: Japanese Industrial Standard)において、グリッド密度の許容差が±１０％の範囲で認められているからである。【００１２】
図１４は、グリッド誤差とモアレパターンの高調波のピーク周波数との関係を示す図である。具体的には、図１４において、縦軸には第１〜３高調波のピーク周波数（lp/mm）を示し、横軸には、５０line/cmのグリッドと実際に誤差があるグリッドとの比を示す。例えば、実際のグリッド密度が５１line/cmの場合、グリッド誤差（比）は、５１／５０＝１．０２である。なお、Ｘ線検出器（ＦＰＤ）１０４はピクセルピッチが１５０umで構成されているものとする。なお、上述の図１３に示すモアレパターンの場合は、実際のグリッド密度は４８．２line/cmであり、グリッド誤差（比）は、４８．２／５０＝０．９６である（符号Ｅ）。図１４において、５０line/cmのグリッド１０５のライン数に誤差が無い場合（符号Ｒ）、第１高調波と第３高調波とは、ほぼ重なっており、第１高調波を除去すれば、同時に第３高調波も除去される。しかしながら、グリッド密度に誤差がある場合は、第１高調波と第３高調波のピーク周波数にずれが生じる。そのため、モアレパターンの第３周波数が除去後の画像に残ってしまう。【００１３】
また、モアレパターンの第１高調波と第２高調波を除去して、更に第３高調波を除去すると、画像内のより多くの情報が同時に除去されることになる。そのため、単に第３高調波を除去しただけでは、画像（画像内の被写体）を明確に認識できるか否かの画像の視認性を劣化させてしまう。図１３や図１４に示すように、第３高調波が他の第１高調波や第２高調波に対して低周波数側に位置する場合など、特に、低周波側の第３高調波を除去すると、画像内の比較的大きな形状を表す情報が第３高調波と同時に除去されてしまい、視認性の劣化が大きい。また、高周波数側の第３高調波を除去すると、画像内の細かな形状やエッジを表す情報が第３高調波と同時に除去されてしまう。また、第３高調波は、図１３に示すように、スペクトル強度が小さい周波数成分であるので、画像内では、画素値の変化（輝度変化）の少ない平坦領域に目立ち、その平坦領域以外では認識されないことがわかった。【００１４】
このような知見に基づく本発明は、次のような構成をとる。すなわち、本発明に係るＸ線診断装置は、被検体にＸ線を照射するＸ線照射部と、被検体を透過したＸ線を検出するＸ線検出器と、前記Ｘ線検出器のＸ線入射側に配置され、散乱したＸ線を除去するグリッドとを備え、前記Ｘ線検出器の出力に基づいて画像を取得するＸ線診断装置において、前記画像に映りこんだ前記グリッドのモアレパターンの第１高調波のピーク周波数を検出するピーク周波数検出部と、前記第１高調波のピーク周波数に基づいて前記画像からモアレパターンの第１高調波と第２高調波を除去して第１・第２高調波除去画像を取得する第１・第２高調波除去処理部と、前記第１高調波のピーク周波数に基づいてモアレパターンの第３高調波のピーク周波数を算出し、前記第３高調波を抽出するための第３高調波抽出フィルタを作成する第３高調波抽出フィルタ作成部と、前記第３高調波抽出フィルタに基づいて前記第１・第２高調波除去画像から前記第３高調波を抽出する第３高調波抽出部と、抽出された前記第３高調波を前記第１・第２高調波除去画像から減算して第３高調波除去画像を取得する第３高調波減算部と、を備えていることを特徴とするものである。【００１５】
本発明に係るＸ線診断装置によれば、第３高調波抽出フィルタ作成部は、第１高調波のピーク周波数に基づいてモアレパターンの第３高調波のピーク周波数を算出し、第３高調波を抽出するための第３高調波抽出フィルタを作成する。第３高調波抽出部は、第３高調波抽出フィルタに基づいて第１・第２高調波除去画像から第３高調波を抽出する。第３高調波減算部は、抽出された第３高調波を第１・第２高調波除去画像から減算して第３高調波除去画像を取得する。それにより、モアレパターン除去画像に残っているモアレパターンの第３高調波を除去することができる。【００１６】
また、本発明に係るＸ線診断装置は、前記第１・第２高調波除去画像内の平坦度を算出して平坦度情報を取得する平坦度算出部と、前記平坦度情報の平坦領域では第３高調波除去画像を出力し、前記平坦度情報の平坦領域以外の領域では前記第１・第２高調波除去画像を出力する出力選択部とを備えていることが好ましい。モアレパターンの第３高調波は、スペクトル強度が小さい周波数成分であるので、画像内では、輝度変化の少ない平坦領域に目立ち、その平坦領域以外では認識されない。そのため、出力選択部は、平坦度算出部で平坦度を算出して取得した平坦度情報のうち、平坦領域では第３高調波除去画像を出力し、平坦度情報の平坦以外の領域では第１・第２高調波除去画像を出力する。すなわち、第１・第２高調波除去画像にてモアレパターンの第３高調波が目立つ平坦領域のみ、第３高調波除去画像を出力させている。それにより、画像の視認性の劣化を抑制するとともにモアレパターン除去画像に残っていた第３高調波のモアレパターンを除去することができる。【００１７】
また、本発明に係るＸ線診断装置において、前記平坦度算出部は、処理対象である注目画素とその周囲の画素との輝度変化量を算出して平坦度情報を取得する輝度変化量算出部を備えていることが好ましい。それにより、輝度変化量算出部は、第１・第２高調波除去画像内の平坦度を示す平坦度情報を、注目画素とその周囲の画素との輝度変化量を算出することで取得することができる。【００１８】
また、本発明に係るＸ線診断装置において、前記輝度変化量算出部は、前記注目画素の画素値から前記注目画素とその周囲の画素との加算平均値を減算して平坦度情報を取得することが好ましい。それにより、輝度変化量算出部は、平坦度情報を、注目画素の画素値から注目画素とその周囲の画素との加算平均値を減算して輝度変化量を算出することで取得することができる。【００１９】
また、本発明に係るＸ線診断装置において、前記平坦度算出部は、前記平坦度情報の各画素の輝度変化量をそれぞれ対応する前記第１・第２高調波除去画像の画素値で除算して正規化処理する正規化処理部を備えていることが好ましい。すなわち、画素値が高い画素では輝度変化量が大きく、画素値が低い画素では輝度変化量が小さい傾向にある。輝度変化量が同じであっても高輝度画素の輝度変化量と低輝度画素の輝度変化量とでは、その重みが異なる。そのため、各画素の輝度変化量をそれぞれ対応する画素の画素値で除算することにより、高輝度画素と低輝度画素との輝度変化量を同じ基準で比較することができる。【００２０】
また、本発明に係るＸ線診断装置において、前記平坦度算出部は、前記平坦度情報を複数個の画素で分割した領域ごとに輝度変化量の加算平均を行い、その加算平均値を分割した領域の各画素に適用させて平滑化する平滑化処理部を備えていることが好ましい。輝度変化量を平滑化することにより任意の領域で出力選択部による出力選択を行うことができる。また、平坦領域以外の領域内に点在する平坦領域と判定された領域を平坦領域以外の領域として処理することができる。平坦領域以外の領域内に点在する平坦領域まで第３高調波除去画像を出力させると視認性劣化を招くおそれがある。【００２１】
また、本発明に係るＸ線診断装置は、前記第３高調波抽出部で抽出された前記第３高調波の縞目に沿った方向に１次元のローパスフィルタ処理を行うローパスフィルタ処理部を備えていることが好ましい。モアレパターンの第３高調波の他に抽出される第３高調波の縞目に対して斜め方向のパターンを除去することができる。【００２２】
また、本発明に係るＸ線診断用プログラムは、散乱したＸ線を除去するグリッドを介して撮影された画像の処理工程をコンピュータに実行させるためのＸ線診断用プログラムであって、前記画像に映りこんだ前記グリッドのモアレパターンの第１高調波のピーク周波数を検出する工程と、前記第１高調波のピーク周波数に基づいて前記画像からモアレパターンの第１高調波と第２高調波を除去して第１・第２高調波除去画像を取得する工程と、前記第１高調波のピーク周波数に基づいてモアレパターンの第３高調波のピーク周波数を算出し、前記第３高調波を抽出するための第３高調波抽出フィルタを作成する工程と、前記第３高調波抽出フィルタに基づいて前記第１・第２高調波除去画像から前記第３高調波を抽出する工程と、抽出された前記第３高調波を前記第１・第２高調波除去画像から減算して第３高調波除去画像を取得する工程と、を備え、これらの工程をコンピュータに実行させることを特徴とするものである。【００２３】
本発明に係るＸ線診断用プログラムによれば、モアレパターンの第１高調波のピーク周波数に基づいてモアレパターンの第３高調波のピーク周波数を算出し、第３高調波を抽出するための第３高調波抽出フィルタを作成する。次に、第３高調波抽出フィルタに基づいて第１・第２高調波除去画像から第３高調波を抽出する。そして、抽出された第３高調波を第１・第２高調波除去画像から減算して第３高調波除去画像を取得する。それにより、モアレパターン除去画像に残っているモアレパターンの第３高調波を除去することができる。
【発明の効果】
【００２４】
本発明に係るＸ線診断装置およびＸ線診断用プログラムによれば、モアレパターンの第１高調波のピーク周波数に基づいてモアレパターンの第３高調波のピーク周波数を算出し、第３高調波を抽出するための第３高調波抽出フィルタを作成する。次に、第３高調波抽出フィルタに基づいて第１・第２高調波除去画像から第３高調波を抽出する。そして、抽出された第３高調波を第１・第２高調波除去画像から減算して第３高調波除去画像を取得する。それにより、モアレパターン除去画像に残っているモアレパターンの第３高調波を除去することができる。
【図面の簡単な説明】
【００２５】
【図１】実施例に係るＸ線診断装置の概略構成を示すブロック図である。
【図２】モアレパターンの説明に供する図である。
【図３】モアレパターンの第３高調波の抽出フィルタ作成の説明に供する図である。
【図４】モアレパターンの第３高調波の一例を示す図である。
【図５】（ａ）は縦ローパスフィルタ（ＬＰＦ）処理の説明に供する図であり、（ｂ）は縦ローパスフィルタ（ＬＰＦ）の一例を示す図である。
【図６】モアレパターンの第３高調波除去の説明に供する図である。
【図７】輝度変化量の算出の説明に供する図である。
【図８】平滑化処理の説明に供する図である。
【図９】出力選択の説明に供する図である。
【図１０】実施例のＸ線診断装置の動作を示すフローチャートである。
【図１１】従来のＸ線診断装置の概略構成を示すブロック図である。
【図１２】Ｘ線検出器とグリッドとによるモアレパターンの周波数の説明に供する図である。
【図１３】画像の１次元のフーリエ変換結果の一例を示す。
【図１４】グリッド誤差とモアレパターンの高調波のピーク周波数との関係を示す図である。
【符号の説明】
【００２６】
１    …  Ｘ線診断装置
３    …  Ｘ線管
４    …  Ｘ線検出器
５    …  散乱線除去グリッド
９    …  画像処理部
１０  …  主制御部
２１  …  第１・第２高調波除去処理部
２３  …  第３高調波除去処理部
２５  …  ピーク周波数検出部
２９  …  第３高調波抽出フィルタ作成部
３１  …  第３高調波抽出部
３３  …  縦ローパスフィルタ処理部（縦ＬＰＦ処理部）
３５  …  第３高調波減算部
３７  …  平坦度算出部
３９  …  出力選択部
４１  …  輝度変化量算出部
４３  …  正規化処理部
４５  …  平滑化処理部
【実施例】
【００２７】
以下、図面を参照して本発明の実施例を説明する。図１は、実施例に係るＸ線診断装置の概略構成を示すブロック図であり、図２は、モアレパターンの説明に供する図である。図３は、モアレパターンの第３高調波の抽出フィルタ作成の説明に供する図であり、図４は、モアレパターンの第３高調波の一例を示す図である。図５（ａ）は、縦ローパスフィルタ（ＬＰＦ）処理の説明に供する図であり、図５（ｂ）は縦ローパスフィルタ（ＬＰＦ）の一例を示す図である。図６は、モアレパターンの第３高調波除去の説明に供する図であり、図７は、輝度変化量の算出の説明に供する図である。図８は平滑化処理の説明に供する図であり、図９は出力選択の説明に供する図である。【００２８】
図１を参照する。Ｘ線診断装置１は、被検体Ｍを載置する天板２と、被検体ＭにＸ線を照射するＸ線管３と、被検体Ｍを挟んでＸ線管３と対向して配置され、被検体Ｍを透過したＸ線を検出するＸ線検出器４と、Ｘ線検出器４のＸ線入射側に配置され、散乱したＸ線を除去するグリッド５とを備えている。なお、Ｘ線管３は本発明におけるＸ線照射部に相当する。【００２９】
Ｘ線管３は、Ｘ線管制御部６によりＸ線照射に必要な制御が実行される。Ｘ線管制御部６は、Ｘ線管３の管電圧や管電流を発生させる高電圧発生部７を有している。Ｘ線管制御部６は、後述する入力部１２で設定された管電圧や管電流や照射時間等のＸ線条件に応じてＸ線管３からＸ線を照射させている。【００３０】
Ｘ線検出器４は、Ｘ線管３から照射されたＸ線を検出し、Ｘ線強度分布に応じた信号であるＸ線検出信号を出力する。Ｘ線検出器４は、フラットパネル型Ｘ線検出器（ＦＰＤ）やイメージインテンシファイア等で構成される。Ｘ線検出器４は、例えば、０．１５umピクセルピッチで構成され、３．３３lp/mmの解像度を持つ。また、グリッド５は、例えば、５０line/cm（５lp/mm）のグリッド密度で構成される。【００３１】
Ｘ線検出器４の後段には、順番にＡ／Ｄ変換器８と画像処理部９とが設けられている。Ａ／Ｄ変換器８は、Ｘ線検出器４から出力されたアナログのＸ線検出信号をデジタル信号に変換する。画像処理部９は、Ｘ線検出器４から出力されたデジタルのＸ線検出信号に基づいた画像に対して種々の処理を行う。また、Ｘ線診断装置１は、この装置１の各構成を統括的に制御する主制御部１０と、画像処理部９で処理された画像を表示する表示部１１と、操作者が入力設定や各種操作を行う入力部１２と、処理された画像を記憶する記憶部１３とを備えている。【００３２】
主制御部１０は、中央演算処理装置（ＣＰＵ）などで構成され、各種プログラムを実行するようになっている。主制御部１０は、例えば、被検体Ｍが載置された天板２、Ｘ線管３またはＸ線検出器４を所定の位置に移動させる制御を行う。表示部１１は、モニタ等で構成される。入力部１２は、キーボードやマウス等で構成される。記憶部１３は、ＲＯＭ（Read-only Memory）、ＲＡＭ（Random-Access Memory）またはハードディスク等の記憶媒体で構成される。【００３３】
画像処理部９は、Ｘ線検出器４の出力に基づいて取得した画像に映りこんだグリッド５のモアレパターンを除去するための第１・第２高調波除去処理部２１と第３高調波除去処理部２３とを備えている。第１・第２高調波除去処理部２１は、画像に映りこんだグリッド５のモアレパターンの第１高調波のピーク周波数を検出するピーク周波数検出部２５を備えている。第１・第２高調波除去処理部２１は、第１高調波のピーク周波数に基づいて画像からモアレパターンの第１高調波と第２高調波を除去して第１・第２高調波除去画像を取得する。【００３４】
第１・第２高調波除去処理部２１は、画像に映りこんだグリッド５のモアレパターンの第１高調波と第２高調波を除去する。第１・第２高調波除去処理部２１は、図２に示すように、まず、モアレパターン（符号ｍｐ）が映りこんだ画像に対して、横方向（モアレパターンの縞目と直交する方向）の画素列（符号Ｌ１）に１次元のフーリエ変換を行う。１次元のフーリエ変換は、例えば画像の上端の画素列から順番に行う。ピーク周波数検出部２５は、そのフーリエ変換結果からモアレパターンの第１高調波を示すピーク周波数を検出する（図１３）。なお、ピーク周波数検出部２５は、画像の上端から順番に検出された複数のピーク周波数から設定された所定のピーク周波数を検出する。第２高調波は、第１高調波の２倍（整数倍）であるので、第１高調波のピーク周波数により算出される。取得された第１高調波と第２高調波のピーク周波数に基づき、モアレパターンの第１高調波と第２高調波を抽出するためのフィルタを作成する。このフィルタを用いて第１高調波と第２高調波を抽出する。そして、抽出された第１高調波と第２高調波をモアレパターンが映りこんだ画像から減算することで、画像からモアレパターンの第１高調波と第２高調波を除去した第１・第２高調波除去画像を取得する。なお、図２において、符号ｆは画像内における被検体Ｍの平坦領域を示す。【００３５】
第３高調波除去処理部２３は、図１に示すように、記憶部２７、第３高調波抽出フィルタ作成部２９、第３高調波抽出部３１、縦ローパスフィルタ処理部（縦ＬＰＦ処理部）３３、第３高調波減算部３５、平坦度算出部３７および出力選択部３９を備えている。第１・第２高調波除去処理部２１によってモアレパターンの第１高調波と第２高調波が除去された第１・第２高調波除去画像は、記憶部２７に記憶される。【００３６】
第３高調波抽出フィルタ作成部２９は、第１高調波のピーク周波数に基づいてモアレパターンの第３高調波のピーク周波数を算出し、第３高調波を抽出するための第３高調波抽出フィルタを作成する。第１高調波のピーク周波数は、ピーク周波数検出部２５で検出された第１高調波のピーク周波数が与えられる。モアレパターンの第３高調波は、モアレパターンの第１高調波の３倍であるが、第３高調波がナイキスト周波数Ｎｙの３．３３lp/mmより大きい場合は、３．３３lp/mmの位置で折り返された位置が第３高調波のピーク周波数位置となる。すなわち、第１高調波のピーク周波数が１．７２lp/mmの場合、第３高調波のピーク周波数は１．７２×３＝５．１６lp/mmとなる。このとき第３高調波がナイキスト周波数Ｎｙの３．３３lp/mmより大きいので、３．３３lp/mmの位置で折り返される。第３高調波のピーク周波数は、３．３３−（５．１６−３．３３）＝１．５０lp/mmとなる。なお、第１高調波のピーク周波数が１．７２lp/mmの場合とは、図１４においてグリッド誤差（比）が０．９９のときである。第３高調波抽出フィルタは、図３に示すように、算出された第３高調波のピーク周波数に所定の帯域を持たせて作成される。【００３７】
第３高調波抽出部３１は、第３高調波抽出フィルタに基づいて第１・第２高調波除去画像から第３高調波を抽出する。第１・第２高調波除去画像は、記憶部２７により与えられる。第３高調波の抽出は、例えば１・第２高調波除去画像の横方向の画素列に対して、第３高調波抽出フィルタを用いたフィルタ処理を施す。この抽出処理を第１・第２高調波除去画像の例えば上端から順番に１列ずつ行う。これにより、図４に示すようなモアレパターンの第３高調波の画像が抽出される。【００３８】
しかしながら、抽出された第３高調波の画像には、図５（ａ）の符号ｎに示すように、モアレパターンの第３高調波の他に斜め方向のパターンが抽出される。これは、第３高調波抽出フィルタの周波数と同じ周波数の第１・第２高調波除去画像内のパターンが抽出されることが原因で起こる。すなわち、横方向の画素列Ｌ２において、周期がｄ１のモアレパターンの第３高調波が抽出されるとともに、第１・第２高調波除去画像内の同じ周期（ｄ２＝ｄ１）のパターンが抽出される。【００３９】
そこで、縦ＬＰＦ処理部３３は、第３高調波抽出部３１で抽出された第３高調波の縞目に沿った縦方向に１次元のローパスフィルタ（ＬＰＦ）処理を行う。モアレパターンの第３高調波の縞目を図５（ａ）の符号ｍｐ３に示す。すなわち、第３高調波の縞目に沿った縦方向にＬＰＦ処理を行う。縦方向のＬＰＦ処理は、抽出された第３高調波の画像の各画素に対して、図５（ｂ）に示すフィルタでフィルタ処理を行う。図５（ｂ）に示すフィルタは、縦方向の画素列であり、例えば、処理対象の注目画素の上下８画素を含む１７画素を用いて行う。この１７画素の処理前の画素値の加算平均を算出し、算出した加算平均値を注目画素の新たな画素値とする。この処理を各画素で行うことにより、画像の縦方向の画素が平滑化されて図５（ａ）に示す符号ｎの斜め方向のパターンを除去される。そして、図４に示すモアレパターンの第３高調波の画像を取得される。なお、縦ＬＰＦ処理部３３は本発明におけるローパスフィルタ処理部に相当する。なお、図５（ａ）において、モアレパターンの第３高調波の縞目が横方向に並んでいるが、縞目が縦方向に並ぶ場合、縞目に沿った横方向に１次元のローパスフィルタ（ＬＰＦ）処理を行う。【００４０】
第３高調波減算部３５は、抽出された第３高調波を第１・第２高調波除去画像から減算して第３高調波除去画像を取得する。すなわち、第３高調波減算部３５は、図６に示すように、第１・第２高調波除去画像Ｐ１から抽出された第３高調波の画像Ｐ２を減算する。これにより、第３高調波除去画像Ｐ３が取得される。【００４１】
平坦度算出部３７は、図１に示すように、第１・第２高調波除去画像内の平坦度を算出して平坦度情報を取得する。この平坦度算出部３７による平坦度情報の算出は、第３高調波を抽出して除去する第３高調波除去画像を取得する処理と並行して行われる。平坦度情報は、第１・第２高調波除去画像の平坦な領域（平坦領域）と平坦ではない構造物の領域（平坦領域以外の領域）識別するための情報である。例えば、被検体Ｍの脚部の撮影においては、平坦領域としては肉部分、平坦領域以外の領域としては骨部分が挙げられる。また、平坦度算出部３７は、輝度変化量算出部４１、正規化処理部４３および平滑化処理部４５を備えている。【００４２】
輝度変化量算出部４１は、処理対象である注目画素とその周囲の画素との輝度変化量を算出して平坦度情報を取得する。具体的には、輝度変化量算出部４１は、注目画素の画素値から注目画素とその周囲の画素との加算平均値を減算して平坦度情報を取得する。すなわち、輝度変化量算出部４１は、図７に示すように、注目画素とその注目画素と例えば上下左右１０画素との２１×２１画素で加算平均を行い、注目画素の画素値からその加算平均値を減算する。すなわち、例えば２１×２１画素の画素値の加算平均値をＡとし、注目画素の画素値をＢとすると輝度変化量Ｃ１は、Ｃ１＝｜Ｂ−Ａ｜で表すことができる。この処理を第１・第２高調波除去画像の各画素で行う。このように輝度変化量Ｃ１で表された新たな画像を平坦度情報として取得する。【００４３】
正規化処理部４３は、平坦度情報の各画素の輝度変化量をそれぞれ対応する第１・第２高調波除去画像の画素値で除算して正規化処理する。すなわち、正規化処理後の輝度変化量Ｃ２は、Ｃ２＝｜Ｂ−Ａ｜／Ｂで表される。画素値が高い画素では輝度変化量（画素値の変動量）が大きく、画素値が低い画素では輝度変化量が小さい傾向にある。また、例えば、画素値が１０００の注目画素と画素値が１０の注目画素があるものとする。両方の輝度変化量が２である場合、輝度変化量が同じ値である。しかしながら、画素値が１０００のときにおける輝度変化量２と、画素値が１０のときにおける輝度変化量２とでは、２／１０００＝０．００２と、２／１０＝０．２と、重みが異なる。そのため、高輝度画素と低輝度画素との輝度変化量を同じ基準で比較できるようにしている。【００４４】
平滑化処理部４５は、平坦度情報を複数個の画素で分割した領域ごとに輝度変化量の加算平均を行い、その加算平均値を分割した領域の各画素に適用させて平滑化する。平滑化処理部４５は、図８に示すように、例えば平坦度情報Ｐ４が６４×６４画素で構成される場合、例えば１６×１６画素で加算平均を行って１画素に縮小する。すると、４×４画素の縮小された平坦度情報Ｐ５が取得される。そして、４×４画素の平坦度情報Ｐ５を元の６４×６４画素の大きさに戻すこと（拡大）で平滑化処理された平坦度情報Ｐ６を得る。なお、平坦度情報Ｐ５の１画素から平坦度情報Ｐ６の１６×１６画素の大きさに戻す際に、平坦度情報Ｐ６の１６×１６画素の全ての輝度変化量は、平坦度情報Ｐ５の１画素の輝度変化量が与えられる。【００４５】
出力選択部３９は、平坦度情報の平坦領域では第３高調波除去画像を出力し、平坦度情報の平坦領域以外の領域では第１・第２高調波除去画像を出力する。すなわち、出力選択部３９は、図９に示すように、平坦度情報Ｐ６に基づいて、第１・第２高調波除去画像Ｐ１および第３高調波除去画像Ｐ３のいずれか一方の画像を出力するのかを選択する。平坦度情報Ｐ６における正規化処理および平滑化処理された輝度変化量がしきい値以上であれば、平坦領域と識別され、しきい値未満であれば、平坦領域以外の領域と識別される。平滑化処理部４５により１６×１６画素で加算平均を行った分割した領域の各画素（１６×１６画素）は、同じ輝度変化量であるので、その１６×１６画素の領域単位で出力選択部３９による選択出力をするようになっている。図９に示すように、平坦度情報Ｐ６の平坦領域（符号ｆ）では、第３高調波除去画像Ｐ３が出力される。一方、平坦度情報Ｐ６の平坦領域以外の領域では、第１・第２高調波除去画像Ｐ１が出力される。【００４６】
次に図１０を参照して、本実施例のＸ線診断装置１の動作をフローチャートに沿って説明する。【００４７】
〔ステップＳ０１〕Ｘ線撮影
Ｘ線診断装置１は、図１に示すように、Ｘ線管制御部６で設定された管電圧や管電流や照射時間等のＸ線条件に応じてＸ線管３からＸ線を照射させる。Ｘ線管３から照射されたＸ線は、被検体Ｍを透過してＸ線検出器４に入射する。Ｘ線検出器４は、Ｘ線強度分布に応じたＸ線検出信号を出力する。Ａ／Ｄ変換器８は、Ｘ線検出器４から出力されたアナログのＸ線検出信号をデジタル信号に変換する。このデジタル変換されたＸ線検出信号に基づいて被検体Ｍを撮影した画像を取得することができる。【００４８】
〔ステップＳ０２〕第１・第２高調波除去処理
ピーク周波数検出部２５は、画像に映りこんだ前記グリッドのモアレパターンの第１高調波のピーク周波数を検出する。第１・第２高調波除去処理部２１は、第１高調波のピーク周波数に基づいて画像からモアレパターンの第１高調波と第２高調波を除去して第１・第２高調波除去画像を取得する。【００４９】
〔ステップＳ０３〕第３高調波抽出フィルタの作成
第３高調波抽出フィルタ作成部２９は、第１高調波のピーク周波数に基づいてモアレパターンの第３高調波のピーク周波数を算出し、第３高調波を抽出するための第３高調波抽出フィルタを作成する（図３）。【００５０】
〔ステップＳ０４〕第３高調波の抽出
第３高調波抽出部３１は、第３高調波抽出フィルタに基づいて第１・第２高調波除去画像から第３高調波を抽出する（図５（ａ））。第３高調波の抽出は、例えば、１・第２高調波除去画像の横方向の画素列の上端から順番に１列ずつに第３高調波抽出フィルタを用いたフィルタ処理を施して行われる。【００５１】
〔ステップＳ０５〕縦ＬＰＦ処理
縦ＬＰＦ処理部３３は、第３高調波抽出部３１で抽出された第３高調波（図５（ａ））の縞目に沿った縦方向に１次元のローパスフィルタ（ＬＰＦ）処理を行う。縦方向のＬＰＦ処理は、例えば、図５（ｂ）に示すフィルタ、すなわち、処理対象の注目画素の上下８画素を含む１７画素を用い、この１７画素の処理前の画素値の加算平均値を注目画素の新たな画素値とする。この処理を各画素で行うことにより、画像の縦方向の画素が平滑化されて図５（ａ）に示す符号ｎの斜め方向のパターンを除去される。そのため、図４に示すようなモアレパターンの第３高調波の画像を取得することができる。【００５２】
〔ステップＳ０６〕第３高調波除去処理（減算）
第３高調波減算部３５は、図６に示すように、抽出された第３高調波Ｐ２を第１・第２高調波除去画像Ｐ１から減算して第３高調波除去画像Ｐ３を取得する。【００５３】
また、第３高調波除去画像を取得するステップＳ０３〜Ｓ０６と並行して、第１・第２高調波除去画像内の平坦度を算出して平坦度情報を取得するステップＳ１３〜Ｓ１５を行う。【００５４】
〔ステップＳ１３〕輝度変化量の算出
輝度変化量算出部４１は、注目画素の画素値から注目画素とその周囲の画素との加算平均値を減算して平坦度情報を取得する。すなわち、輝度変化量算出部４１は、図７に示すように、注目画素を含む２１×２１画素の画素値の加算平均値をＡとし、注目画素の画素値をＢとして、輝度変化量Ｃ１＝｜Ｂ−Ａ｜を算出する。この処理を各画素で行うことにより、新たな画像として平坦度情報として取得する。【００５５】
〔ステップＳ１４〕正規化処理
正規化処理部４３は、平坦度情報の各画素の輝度変化量をそれぞれ対応する第１・第２高調波除去画像の画素値で除算して正規化処理する。すなわち、輝度変化量Ｃ１の算出で用いた注目画素の画素値Ｂで輝度変化量Ｃ１を除算する。正規化処理後の輝度変化量Ｃ２は、Ｃ２＝｜Ｂ−Ａ｜／Ｂで算出される。【００５６】
〔ステップＳ１５〕平滑化処理
平滑化処理部４５は、平坦度情報を複数個の画素で分割した領域ごとに輝度変化量の加算平均を行い、その加算平均値を分割した領域の各画素に適用させて平滑化する。すなわち、平滑化処理部４５は、図８に示すように、例えば１６×１６画素で加算平均を行って１画素に縮小する。そして、元の大きさに戻す際に、元の大きさの１６×１６画素には、全画素に加算平均された輝度変化量が与えられる。【００５７】
〔ステップＳ０７〕出力選択
出力選択部３９は、図９に示すように、平坦度情報Ｐ６の平坦領域ｆでは第３高調波除去画像Ｐ３を出力し、平坦度情報Ｐ６の平坦領域ｆ以外の領域では第１・第２高調波除去画像Ｐ１を出力する。このように平坦領域ｆではモアレパターンの第３高調波が除去された出力選択画像Ｐ７が取得される。【００５８】
〔ステップＳ０８〕表示・保存
ステップＳ０７で出力選択された出力選択画像Ｐ７は、画像処理部９でその他必要な処理が行われる。そして、出力選択画像Ｐ７は、表示部１１に表示され、また、記憶部１３に記憶される。【００５９】
本実施例に係るＸ線診断装置１によれば、第３高調波抽出フィルタ作成部２９は、第１高調波のピーク周波数に基づいてモアレパターンの第３高調波のピーク周波数を算出し、第３高調波を抽出するための第３高調波抽出フィルタを作成する。第３高調波抽出部３１は、第３高調波抽出フィルタに基づいて第１・第２高調波除去画像から第３高調波を抽出する。第３高調波減算部３５は、抽出された第３高調波を第１・第２高調波除去画像から減算して第３高調波除去画像を取得する。それにより、第１・第２高調波除去画像に残っているモアレパターンの第３高調波を除去することができる。【００６０】
また、Ｘ線診断装置１は、第１・第２高調波除去画像内の平坦度を算出して平坦度情報を取得する平坦度算出部３７と、平坦度情報の平坦領域では第３高調波除去画像を出力し、平坦度情報の平坦領域以外の領域では第１・第２高調波除去画像を出力する出力選択部３９とを備えている。モアレパターンの第３高調波は、スペクトル強度が小さい周波数成分であるので、画像内では、輝度変化の少ない平坦領域に目立ち、その平坦領域以外では認識されない。そのため、出力選択部３９は、平坦度算出部３７で平坦度を算出して取得した平坦度情報のうち、平坦領域では第３高調波除去画像を出力し、平坦度情報の平坦以外の領域では第１・第２高調波除去画像を出力する。すなわち、第１・第２高調波除去画像にてモアレパターンの第３高調波が目立つ領域は平坦領域であるので、平坦領域とそれ以外の領域とを識別して、平坦領域のみに第３高調波除去画像を選択して出力させている。それにより、画像の視認性の劣化を抑制するとともに第１・第２高調波除去画像に残っていた第３高調波のモアレパターンを除去することができる。【００６１】
すなわち、平坦領域以外では視認性を劣化させず、モアレパターン残りのない画像を取得することができる。なお、平坦領域では輝度変化が少なくモアレパターンの第３高調波を除去しても視認性劣化の影響を比較的に受けにくい。また、平坦領域のモアレパターンの第３高調波を除去しているので、平坦領域のＳ／Ｎ比を改善することも可能である。【００６２】
また、輝度変化量算出部４１は、第１・第２高調波除去画像内の平坦度を示す平坦度情報を、注目画素とその周囲の画素との輝度変化量を算出することで取得することができる。さらに、輝度変化量算出部４１は、平坦度情報を、注目画素の画素値から注目画素とその周囲の画素との加算平均値を減算して輝度変化量を算出することで取得することができる。【００６３】
また、正規化処理部４３は、平坦度情報の各画素の輝度変化量をそれぞれ対応する第１・第２高調波除去画像の画素値で除算して正規化処理する。すなわち、画素値が高い画素では輝度変化量が大きく、画素値が低い画素では輝度変化量が小さい傾向にある。輝度変化量が同じであっても高輝度画素の輝度変化量と低輝度画素の輝度変化量とでは、その重みが異なる。そのため、各画素の輝度変化量をそれぞれ対応する画素の画素値で除算することにより、高輝度画素と低輝度画素との輝度変化量を同じ基準で比較することができる。【００６４】
また、平滑化処理部４５は、平坦度情報を複数個の画素（例えば１６×１６画素）で分割した領域ごとに輝度変化量の加算平均を行い、その加算平均値を分割した領域の各画素（１６×１６画素）に適用させて平滑化している。出力選択部３９による画像の出力選択を画素単位で行うのではなく、平滑化により任意の領域で行うことができる。また、平坦領域以外の領域内に点在する平坦領域と判定された領域を平坦領域以外の領域として処理することができる。平坦領域以外の領域内に点在する平坦領域まで第３高調波除去画像を出力させると視認性劣化を招くおそれがある。【００６５】
また、縦ＬＰＦ処理部３３は、第３高調波抽出部３１で抽出された第３高調波の縞目に沿った縦方向に１次元のＬＰＦ処理を行う。モアレパターンの第３高調波の他に抽出される第３高調波の縞目に対して斜め方向のパターンを除去することができる。【００６６】
本発明は、上記実施形態に限られることはなく、下記のように変形実施することができる。【００６７】
（１）上述した実施例において、画像処理部９は、プログラムを実行させるためのＣＰＵ等で構成される制御部と、プログラム等を記憶するＲＯＭやＲＡＭ等の記憶媒体で構成される記憶部とを備えてもよい。記憶部には、各ステップＳ０１〜Ｓ０８，Ｓ１３〜Ｓ１５の動作のプログラムを記憶させて、そのプログラムを制御部で実行するようにしてもよい。この場合、このプログラムに必要な操作は、入力部１２で入力され、出力選択画像Ｐ７は表示部１１に表示される。【００６８】
（２）上述した実施例において、画像処理部９に限定されず、各ステップＳ０１〜Ｓ０８，Ｓ１３〜Ｓ１５の動作を、その動作のプログラムを記憶部１３に記憶し、主制御部１０で実行するようにしてもよい。この場合、このプログラムに必要な操作は入力部１２で入力され、出力選択画像Ｐ７は表示部１１に表示される。また、その動作のプログラムは、ＬＡＮ等のネットワークシステムでＸ線診断装置１と接続されたパソコン上でも実行できるようにしてもよい。
【図１】
2012143979.tif 000003
【図２】
2012143979.tif 000004
【図３】
2012143979.tif 000005
【図４】
2012143979.tif 000006
【図５】
2012143979.tif 000007
【図６】
2012143979.tif 000008
【図７】
2012143979.tif 000009
【図８】
2012143979.tif 000010
【図９】
2012143979.tif 000011
【図１０】
2012143979.tif 000012
【図１１】
2012143979.tif 000013
【図１２】
2012143979.tif 000014
【図１３】
2012143979.tif 000015
【図１４】
2012143979.tif 000016
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線照射部と、
被検体を透過したＸ線を検出するＸ線検出器と、
前記Ｘ線検出器のＸ線入射側に配置され、散乱したＸ線を除去するグリッドとを備え、
前記Ｘ線検出器の出力に基づいて画像を取得するＸ線診断装置において、
前記画像に映りこんだ前記グリッドのモアレパターンの第１高調波のピーク周波数を検出するピーク周波数検出部と、
前記第１高調波のピーク周波数に基づいて前記画像からモアレパターンの第１高調波と第２高調波を除去して第１・第２高調波除去画像を取得する第１・第２高調波除去処理部と、
前記第１高調波のピーク周波数に基づいてモアレパターンの第３高調波のピーク周波数を算出し、前記第３高調波を抽出するための第３高調波抽出フィルタを作成する第３高調波抽出フィルタ作成部と、
前記第３高調波抽出フィルタに基づいて前記第１・第２高調波除去画像から前記第３高調波を抽出する第３高調波抽出部と、
抽出された前記第３高調波を前記第１・第２高調波除去画像から減算して第３高調波除去画像を取得する第３高調波減算部と、
前記第１・第２高調波除去画像内の平坦度を算出して平坦度情報を取得する平坦度算出部と、
前記平坦度情報の平坦領域では第３高調波除去画像を出力し、前記平坦度情報の平坦領域以外の領域では前記第１・第２高調波除去画像を出力する出力選択部と、
を備えていることを特徴とするＸ線診断装置。
【請求項２】
請求項１に記載のＸ線診断装置において、
前記平坦度算出部は、処理対象である注目画素とその周囲の画素との輝度変化量を算出して平坦度情報を取得する輝度変化量算出部を備えていることを特徴とするＸ線診断装置。
【請求項３】
請求項２に記載のＸ線診断装置において、
前記輝度変化量算出部は、前記注目画素の画素値から前記注目画素とその周囲の画素との加算平均値を減算して平坦度情報を取得することを特徴とするＸ線診断装置。
【請求項４】
請求項２または３に記載のＸ線診断装置において、
前記平坦度算出部は、前記平坦度情報の各画素の輝度変化量をそれぞれ対応する前記第１・第２高調波除去画像の画素値で除算して正規化処理する正規化処理部を備えていることを特徴とするＸ線診断装置。
【請求項５】
請求項２から４のいずれかに記載のＸ線診断装置において、
前記平坦度算出部は、前記平坦度情報を複数個の画素で分割した領域ごとに輝度変化量の加算平均を行い、その加算平均値を分割した領域の各画素に適用させて平滑化する平滑化処理部を備えていることを特徴とするＸ線診断装置。
【請求項６】
請求項１から５のいずれかに記載のＸ線診断装置において、
前記第３高調波抽出部で抽出された前記第３高調波の画像に対して前記第３高調波の縞目に沿った方向に１次元のローパスフィルタ処理を行うローパスフィルタ処理部を備えていることを特徴とするＸ線診断装置。
【請求項７】
散乱したＸ線を除去するグリッドを介して撮影された画像の処理工程をコンピュータに実行させるためのＸ線診断用プログラムであって、
前記画像に映りこんだ前記グリッドのモアレパターンの第１高調波のピーク周波数を検出する工程と、
前記第１高調波のピーク周波数に基づいて前記画像からモアレパターンの第１高調波と第２高調波を除去して第１・第２高調波除去画像を取得する工程と、
前記第１高調波のピーク周波数に基づいてモアレパターンの第３高調波のピーク周波数を算出し、前記第３高調波を抽出するための第３高調波抽出フィルタを作成する工程と、
前記第３高調波抽出フィルタに基づいて前記第１・第２高調波除去画像から前記第３高調波を抽出する工程と、
抽出された前記第３高調波を前記第１・第２高調波除去画像から減算して第３高調波除去画像を取得する工程と、
前記第１・第２高調波除去画像内の平坦度を算出して平坦度情報を取得する工程と、
前記平坦度情報の平坦領域では第３高調波除去画像を出力し、前記平坦度情報の平坦領域以外の領域では前記第１・第２高調波除去画像を出力する工程と、を備え、
これらの工程をコンピュータに実行させることを特徴とするＸ線診断用プログラム。
【手続補正２】
【補正対象書類名】明細書
【補正対象項目名】００１４
【補正方法】変更
【補正の内容】
【００１４】
このような知見に基づく本発明は、次のような構成をとる。すなわち、本発明に係るＸ線診断装置は、被検体にＸ線を照射するＸ線照射部と、被検体を透過したＸ線を検出するＸ線検出器と、前記Ｘ線検出器のＸ線入射側に配置され、散乱したＸ線を除去するグリッドとを備え、前記Ｘ線検出器の出力に基づいて画像を取得するＸ線診断装置において、前記画像に映りこんだ前記グリッドのモアレパターンの第１高調波のピーク周波数を検出するピーク周波数検出部と、前記第１高調波のピーク周波数に基づいて前記画像からモアレパターンの第１高調波と第２高調波を除去して第１・第２高調波除去画像を取得する第１・第２高調波除去処理部と、前記第１高調波のピーク周波数に基づいてモアレパターンの第３高調波のピーク周波数を算出し、前記第３高調波を抽出するための第３高調波抽出フィルタを作成する第３高調波抽出フィルタ作成部と、前記第３高調波抽出フィルタに基づいて前記第１・第２高調波除去画像から前記第３高調波を抽出する第３高調波抽出部と、抽出された前記第３高調波を前記第１・第２高調波除去画像から減算して第３高調波除去画像を取得する第３高調波減算部と、前記第１・第２高調波除去画像内の平坦度を算出して平坦度情報を取得する平坦度算出部と、前記平坦度情報の平坦領域では第３高調波除去画像を出力し、前記平坦度情報の平坦領域以外の領域では前記第１・第２高調波除去画像を出力する出力選択部と、を備えていることを特徴とするものである。
【手続補正３】
【補正対象書類名】明細書
【補正対象項目名】００１６
【補正方法】変更
【補正の内容】
【００１６】
また、モアレパターンの第３高調波は、スペクトル強度が小さい周波数成分であるので、画像内では、輝度変化の少ない平坦領域に目立ち、その平坦領域以外では認識されない。そのため、出力選択部は、平坦度算出部で平坦度を算出して取得した平坦度情報のうち、平坦領域では第３高調波除去画像を出力し、平坦度情報の平坦以外の領域では第１・第２高調波除去画像を出力する。すなわち、第１・第２高調波除去画像にてモアレパターンの第３高調波が目立つ平坦領域のみ、第３高調波除去画像を出力させている。それにより、画像の視認性の劣化を抑制するとともにモアレパターン除去画像に残っていた第３高調波のモアレパターンを除去することができる。
【手続補正４】
【補正対象書類名】明細書
【補正対象項目名】００２１
【補正方法】変更
【補正の内容】
【００２１】
また、本発明に係るＸ線診断装置は、前記第３高調波抽出部で抽出された前記第３高調波の画像に対して前記第３高調波の縞目に沿った方向に１次元のローパスフィルタ処理を行うローパスフィルタ処理部を備えていることが好ましい。モアレパターンの第３高調波の他に抽出される第３高調波の縞目に対して斜め方向のパターンを除去することができる。
【手続補正５】
【補正対象書類名】明細書
【補正対象項目名】００２２
【補正方法】変更
【補正の内容】
【００２２】
また、本発明に係るＸ線診断用プログラムは、散乱したＸ線を除去するグリッドを介して撮影された画像の処理工程をコンピュータに実行させるためのＸ線診断用プログラムであって、前記画像に映りこんだ前記グリッドのモアレパターンの第１高調波のピーク周波数を検出する工程と、前記第１高調波のピーク周波数に基づいて前記画像からモアレパターンの第１高調波と第２高調波を除去して第１・第２高調波除去画像を取得する工程と、前記第１高調波のピーク周波数に基づいてモアレパターンの第３高調波のピーク周波数を算出し、前記第３高調波を抽出するための第３高調波抽出フィルタを作成する工程と、前記第３高調波抽出フィルタに基づいて前記第１・第２高調波除去画像から前記第３高調波を抽出する工程と、抽出された前記第３高調波を前記第１・第２高調波除去画像から減算して第３高調波除去画像を取得する工程と、前記第１・第２高調波除去画像内の平坦度を算出して平坦度情報を取得する工程と、前記平坦度情報の平坦領域では第３高調波除去画像を出力し、前記平坦度情報の平坦領域以外の領域では前記第１・第２高調波除去画像を出力する工程と、を備え、これらの工程をコンピュータに実行させることを特徴とするものである。
【手続補正６】
【補正対象書類名】明細書
【補正対象項目名】００２３
【補正方法】変更
【補正の内容】
【００２３】
本発明に係るＸ線診断用プログラムによれば、モアレパターンの第１高調波のピーク周波数に基づいてモアレパターンの第３高調波のピーク周波数を算出し、第３高調波を抽出するための第３高調波抽出フィルタを作成する。次に、第３高調波抽出フィルタに基づいて第１・第２高調波除去画像から第３高調波を抽出する。そして、抽出された第３高調波を第１・第２高調波除去画像から減算して第３高調波除去画像を取得する。それにより、モアレパターン除去画像に残っているモアレパターンの第３高調波を除去することができる。
また、モアレパターンの第３高調波は、スペクトル強度が小さい周波数成分であるので、画像内では、輝度変化の少ない平坦領域に目立ち、その平坦領域以外では認識されない。そのため、第１・第２高調波除去画像内の平坦度を算出して平坦度情報を取得する。そして、その平坦度情報のうち、平坦領域では第３高調波除去画像を出力し、平坦度情報の平坦以外の領域では第１・第２高調波除去画像を出力する。すなわち、第１・第２高調波除去画像にてモアレパターンの第３高調波が目立つ平坦領域のみ、第３高調波除去画像を出力させている。それにより、画像の視認性の劣化を抑制するとともにモアレパターン除去画像に残っていた第３高調波のモアレパターンを除去することができる。
【手続補正７】
【補正対象書類名】明細書
【補正対象項目名】００２４
【補正方法】変更
【補正の内容】
【００２４】
本発明に係るＸ線診断装置およびＸ線診断用プログラムによれば、モアレパターンの第１高調波のピーク周波数に基づいてモアレパターンの第３高調波のピーク周波数を算出し、第３高調波を抽出するための第３高調波抽出フィルタを作成する。次に、第３高調波抽出フィルタに基づいて第１・第２高調波除去画像から第３高調波を抽出する。そして、抽出された第３高調波を第１・第２高調波除去画像から減算して第３高調波除去画像を取得する。それにより、モアレパターン除去画像に残っているモアレパターンの第３高調波を除去することができる。
また、モアレパターンの第３高調波は、スペクトル強度が小さい周波数成分であるので、画像内では、輝度変化の少ない平坦領域に目立ち、その平坦領域以外では認識されない。そのため、第１・第２高調波除去画像内の平坦度を算出して平坦度情報を取得する。そして、その平坦度情報のうち、平坦領域では第３高調波除去画像を出力し、平坦度情報の平坦以外の領域では第１・第２高調波除去画像を出力する。すなわち、第１・第２高調波除去画像にてモアレパターンの第３高調波が目立つ平坦領域のみ、第３高調波除去画像を出力させている。それにより、画像の視認性の劣化を抑制するとともにモアレパターン除去画像に残っていた第３高調波のモアレパターンを除去することができる。
【国際調査報告】
2012143979.tif 000017
2012143979.tif 000018
2012143979.tif 000019
2012143979.tif 000020